(57)【要約】【課題】排液吸収材の均一なゲル化を実現して、容器本体の内部への、液体状の生体排液の残留を有効に防止しつつ、容器本体内に蓄えられた生体排液の量を、より正確に測定することのできる生体排液の収納容器を提供する。【解決手段】内部に生体排液が収納される容器本体２と、該容器本体２の内部に生体排液を流入させる導入口３と、容器本体２の内部に設けた、生体排液を吸収してゲル化する排液吸収材４とを有する生体排液の収納容器１であって、容器本体２の内部に、容器本体２の一端側Ｓ１から他端側Ｓ２に延びる仕切部７の複数個を並列配置し、前記仕切部７により、容器本体２の内部に、該仕切部７に並行するとともに前記一端側Ｓ１および前記他端側Ｓ２のそれぞれで一回以上折り返して延びて、前記導入口３から流入した生体排液を流動させる内部流路８を区画形成し、前記排液吸収材４を、前記内部流路８に沿って配置してなる。【選択図】図１
2013169415.tif 000002
【特許請求の範囲】
【請求項１】
内部に生体排液が収納される容器本体と、該容器本体の内部に生体排液を流入させる導入口と、前記容器本体の内部に設けた、生体排液を吸収してゲル化する排液吸収材とを有する生体排液の収納容器であって、
前記容器本体の内部に、該容器本体の一端側から他端側に延びる仕切部の複数個を並列配置し、前記仕切部により、前記容器本体の内部に、該仕切部に並行するとともに前記一端側および前記他端側のそれぞれで一回以上折り返して延びて、前記導入口から流入した生体排液を流動させる内部流路を区画形成し、
前記排液吸収材を、前記内部流路に沿って配置したことを特徴とする生体排液の収納容器。
【請求項２】
前記内部流路の入口部分を前記容器本体の底部に設け、
前記内部流路が、前記容器本体の両側部間に延びるとともに、前記両側部のそれぞれで、前記容器本体の底部側から頂部側に向けて一回以上折り返してなることを特徴とする請求項１に記載の生体排液の収納容器。
【請求項３】
内部に生体排液が収納される容器本体と、該容器本体の内部に生体排液を流入させる導入口と、前記容器本体の内部に設けた、生体排液を吸収してゲル化する排液吸収材とを有する生体排液の収納容器であって、
前記容器本体の内部に、少なくとも一部で湾曲ないしは屈曲して延びる仕切部を配置し、前記仕切部により、前記容器本体の内部に、該容器本体の周縁部もしくは中心部のいずれか一方側から他方側に向かって接近しつつ湾曲ないしは屈曲して延びて、前記導入口から流入した生体排液を流動させる内部流路を区画形成し、
前記排液吸収材を、前記内部流路に沿って配置したことを特徴とする生体排液の収納容器。
【請求項４】
前記内部流路の横断面積を、該内部流路の全長にわたって一定としたことを特徴とする請求項１または３に記載の生体排液の収納容器。
【請求項５】
前記排液吸収材を、前記内部流路に沿って延びる透水性のラッピング部材で包み込んで配置したことを特徴とする請求項１または３に記載の生体排液の収納容器。
【請求項６】
前記排液吸収材を、粉体もしくは粒体状の吸水性高分子材料とし、該吸水性高分子材料の粒径を、１００μｍ〜４ｍｍとしたことを特徴とする請求項１または３に記載の生体排液の収納容器。
【発明の詳細な説明】
【技術分野】
【０００１】
本発明は、生体排液の収納容器に関し、とくには、内部に生体排液が収納される容器本体に、それの内部に生体排液を流入させる導入口を形成するとともに、容器本体の内部に、生体排液を吸収してゲル化する排液吸収材を設けてなる、いわゆる蓄液バッグとして用いて好適な生体排液の収納容器に関するものである。
【背景技術】
【０００２】
泌尿器の機能およびその周囲の筋力の低下により自己の意思で排尿することが困難な患者に対し、導尿カテーテル等を取り付けて用いられる蓄尿バッグは、一旦尿が貯留されたバッグ内から、たとえば、バッグ本体の底部に設けた排尿口等から尿を排出した後に、そのバッグを再度の排尿行為に供することで、数週間にわたって同一のバッグが使用されている状況にある。
しかるに、このように同一の蓄尿バッグを繰り返し使用することに対しては、使用に伴う、雑菌の繁殖による悪臭の発生に代表される衛生面の問題および尿路感染症の増加等が指摘されており、この種の蓄尿バッグは、一回または、比較的短い期間の使用後に廃棄される使い捨てのものとすることが望まれる。
【０００３】
使い捨ての蓄尿バッグでは、内部に液体状の尿を収納した状態でバッグを廃棄する際に、バッグの破損その他に起因する尿の漏洩や飛散等のおそれを有効に取り除くため、バッグの内部に、たとえば、特許文献１，２に記載されているような、吸水性高分子等からなる、尿を吸収して膨潤・ゲル化する吸収材を配置することが必要となる。なお、とくに、バッグの使用に際する尿の飛散等をより確実に防止するとの観点からは、尿がバッグ内に貯留し始めると同時に、尿が前記吸収材に吸収されることが好ましい。
【０００４】
ここで、特許文献１には、「吸水性高分子粉末を収容した蓄尿部と、該蓄尿部から外方に突出した導尿部とを備え、前記導尿部は軟質合成樹脂フィルムからなる扁平な筒状をなし、外周面には保形用略筒状体が付設されており、前記保形用略筒状体は扁平状に折り畳まれており、一方向に圧力をかけると拡径すること、を特徴とする携帯尿袋」が記載されている。
またここで、特許文献２には、「体から排出される流体を溜めるための袋であって、袋のエンベロープを形成する第１壁と、該エンベロープを形成する第２壁と、エンベロープ内に第１チャンバと第２チャンバとを形成するための第３壁であって、装着される垂直な方向に位置するときに一方のチャンバの部分が他方のチャンバの前に大略水平になるように配置された第３壁と、第１チャンバに対して直接的若しくは間接的に連通する入口開口と、第２チャンバ内に設けられ該第２チャンバ内の流体状内容物をゲル化するための部材であって、該第２チャンバ内に流体をゲルとして蓄えるための部材とを備え、上記装着される垂直な方向に位置するときに、上記部材は、入口開口の下部より上に延在し、これにより、上記部材は、流体をゲルとして、入口開口の下部よりも上に位置する第２チャンバの上部領域に蓄えることができるようにしたことを特徴とする袋」が記載されている。
【先行技術文献】
【特許文献】
【０００５】
【特許文献１】特開２００３−１２５９７５号公報
【特許文献２】特開２００１−６１８７８号公報
【０００６】
ところで、特許文献１に記載された「携帯尿袋」のように、蓄尿バッグの内部に粉末状の吸水性高分子材料を単純に封入しただけでは、バッグ内に流入した尿が、粉末状の吸水性高分子材料の上面に降りかかることにより、吸水性高分子材料の上面の、尿が降りかかった箇所だけが限定的に膨潤し、その膨潤した部分が、内部に未だに反応していない粉末状の部分を包み込んでダマ状にゲル化するとともに、膨潤した部分の内部に気泡が生じ、また、吸水性高分子材料の上面に近い領域だけがゲル化するので、バッグ内の吸水性高分子材料を均一にゲル化させることができなかった。
そしてそれ故に、この場合は、配置された吸収性高分子材料の最大吸収力を十分に発揮できないことからバッグ内に流入する尿を完全に吸収することができずに、バッグ内に多くの尿が液体状で残留することになるという問題があった。また、排尿後に患者の健康状態等を評価するための、たとえばバッグの外部からの目視による、バッグ内に蓄えられた尿量の測定を、不均一にゲル化した吸水性高分子材料では正確に行うことができないという問題もあった。
【０００７】
また、特許文献２に記載された「袋」のように、バッグ本体の内部に、それの底部から頂部に延びる一個の仕切部を設けて、バッグ本体の内部を、導入口を設ける第一室と、吸収材を配置する第二室とに区分けし、それらの第一室および第二室の相互を、前記導入口よりバッグ本体の底部側に設けた開口部で連通させた場合は、上述したような、バッグ内への尿の流入に際する、吸収材の不均一なゲル化はある程度抑制できるものの、導入口から流入する尿が、バッグ本体の全幅にわたる第一室および第二室のそれぞれで、バッグ本体の幅方向に広がって流動することになって、バッグの内部に貯留する尿の量の把握が困難となるので、バッグ内の尿量を正確に測定することには適さなかった。
【０００８】
本発明は、蓄尿バッグその他の、生体排液の収納容器の内部に、排液吸収材を設ける技術が抱える上記の問題を解決するものであり、とくに、排液吸収材の均一なゲル化を実現して、容器本体の内部への、液体状の生体排液の残留を有効に防止しつつ、容器本体内に蓄えられた生体排液の量を、より正確に測定することのできる生体排液の収納容器を提供することを目的とする。
【発明の概要】
【課題を解決するための手段】
【０００９】
本発明の生体排液の収納容器は、内部に生体排液が収納される容器本体と、該容器本体の内部に生体排液を流入させる導入口と、前記容器本体の内部に設けた、生体排液を吸収してゲル化する排液吸収材とを有するものであって、前記容器本体の内部に、該容器本体の一端側から他端側に延びる仕切部の複数個を並列配置し、前記仕切部により、前記容器本体の内部に、該仕切部に並行するとともに前記一端側および前記他端側のそれぞれで一回以上折り返して延びて、前記導入口から流入した生体排液を流動させる内部流路を区画形成し、前記排液吸収材を、前記内部流路に沿って配置したことを特徴とするものである。
【００１０】
この収納容器において好ましくは、前記内部流路の入口部分を前記容器本体の底部に設け、前記内部流路を、前記容器本体の両側部間に延びるとともに、前記両側部のそれぞれで、前記容器本体の底部側から頂部側に向けて一回以上折り返してなるものとする。
【００１１】
また、本発明の他の生体排液の収納容器は、内部に生体排液が収納される容器本体と、該容器本体の内部に生体排液を流入させる導入口と、前記容器本体の内部に設けた、生体排液を吸収してゲル化する排液吸収材とを有するものであって、前記容器本体の内部に、少なくとも一部で湾曲ないしは屈曲して延びる仕切部を配置し、前記仕切部により、前記容器本体の内部に、該容器本体の周縁部もしくは中心部のいずれか一方側から他方側に向かって接近しつつ湾曲ないしは屈曲して延びて、前記導入口から流入した生体排液を流動させる内部流路を区画形成し、前記排液吸収材を、前記内部流路に沿って配置したことを特徴とするものである。
【００１２】
上述したいずれかの収納容器では、前記内部流路の横断面積を、該内部流路の全長にわたって一定とすることが好ましく、また、前記排液吸収材を、前記内部流路に沿って延びる透水性のラッピング部材で包み込んで配置することが好ましい。
そしてまた好ましくは、前記排液吸収材を、粉体もしくは粒体状の吸水性高分子材料とし、該吸水性高分子材料を、１００μｍ〜４ｍｍの範囲内から選択した粒径の均一な粒子の集合体、または、その範囲内から選択した粒径の異なる粒子の集合体とする。
【発明の効果】
【００１３】
本発明の生体排液の収納容器によれば、容器本体の内部に設けた内部流路が、その内部流路の区画に寄与する仕切部に並行するとともに容器本体の一端側および他端側のそれぞれで一回以上折り返して延びるか、または、容器本体の周縁部もしくは中心部のいずれか一方側から他方側に向かって接近しつつ湾曲ないしは屈曲して延びることにより、容器本体の内部に、横断面積が小さく、かつ流路長さの長い内部流路を形成することが可能になる。
そして、この収納容器の使用に際しては、上述した内部流路における生体排液の通過に伴って、その内部流路に沿って配置した排液吸収材が順次に膨潤・ゲル化することになるので、たとえば、外部からの目視によって、内部流路の各位置で排液吸収材に吸収された生体排液の貯留量を容易に把握することができ、その結果として、容器内の生体排液の量をより正確に測定することができる。
【００１４】
また上記の収納容器では、内部流路での生体排液の流動に伴って、その内部流路に沿って配置した排液吸収材が順次にゲル化することから、容器本体の内部に流入する生体排液の量に応じて、排液吸収材の均一なゲル化を実現することができ、それにより、排液吸収材によって、より多くの生体排液を吸収して、容器本体の内部に、多くの生体排液が液体状で残留することを有効に防止することができる。
【図面の簡単な説明】
【００１５】
【図１】本発明の生体排液の収納容器の、一の実施形態を示す正面図である。
【図２】図１のII―II線に沿う断面図である。
【図３】図２の収納容器における仕切部の他の形成例を示す、図２と同様の図である。
【図４】図１の収納容器における仕切部の他の配置例を示す、図１と同様の図である。
【図５】他の実施形態を示す正面図である。
【発明を実施するための形態】
【００１６】
以下に図面を参照しながら、本発明の実施の形態について説明する。
図１に例示する生体排液の収納容器１は、たとえば、尿を収納するための先述した蓄尿バッグとして使用することのできるものであって、内部に、尿、腹水／胸水、胆汁、消化管液、術野浸出液、脳脊髄液のドレナージ、腹膜透析液等の生体排液が収納される、ここでは袋状をなす透明もしくは半透明の容器本体２と、容器本体２の、たとえば、図の右上側の部分に形成されて、容器本体２の内部に生体排液を流入させるための導入口３と、容器本体２の内部に設けた、生体排液を吸収して自身が膨潤・ゲル化する排液吸収材４とを有する。
【００１７】
上記の容器本体２は、たとえば、図の紙面の表側および裏側のそれぞれに配置した二枚の柔軟な可撓性シート５，６の相互を、それぞれの周縁部で、熱融着もしくは接着剤等により液密に固着させてシールすることで、図示のような袋状に形成することができる。これらの各可撓性シート５，６には、ポリエチレン、ポリプロピレン、ポリブタジエン、エチレン−酢酸ビニル共重合体の様なポリオレフィン、オレフィン系エラストマー、スチレン系エラストマー等の各種熱可塑性エラストマー、あるいは、これらを任意に組合せたもの（ブレンド樹脂、ポリマーアロイ、積層体等）を用いることができる。そして、使用する樹脂材料は、高圧蒸気滅菌（オートクレーブ滅菌）に耐えられる耐熱性、耐水性あるいは、γ線滅菌、EB滅菌に耐えられる性質を有していることが好ましい。厚みは、０．０１ｍｍ〜３ｍｍのシートを用いることができる。
なお、容器本体を、硬質プラスチック材料やガラス材料等の、容器の通常の使用状態で寸法変化がほとんど生じない剛性材料で構成することも可能である。
【００１８】
そして、図示のこの実施形態では、容器本体２の内部に、容器本体２の一端側（図では左側の側部Ｓ１側）から他端側（図では右側の側部Ｓ２側）に延びる、たとえばシート状の仕切部７の複数個、ここでは四個を、容器本体２の高さ方向（図では上下方向）に並列させた状態で、図２に断面図で示すように、両可撓性シート５，６のそれぞれの内側面５ａ，６ａに、熱融着もしくは接着剤等により液密に固着させて設けて、容器本体２の内部に内部流路８を形成する。そして、この内部流路８には、図１，２に示すように、排液吸収材４を、内部流路８に沿って、好ましくは内部流路８の全長にわたって配置する。
【００１９】
このことによれば、複数個の仕切部７によって区画される内部流路８は、そこを流動する生体排液の流動方向に直交する横断面積が小さく、かつ流路長さが長いものとなるので、導入口３を介して容器本体２の内部に流入した生体排液が、内部流路８を区画する仕切部７に案内されつつ、前記内部流路８を流動するとともに、内部流路８を生体排液が通過するに伴って、内部流路８に沿って配置した排液吸収材４が順次に膨潤・ゲル化することになって、容器本体２内の排液吸収材４の均一なゲル化を実現することができる。
【００２０】
それにより、排液吸収材４が生体排液を十分に吸収することができて、容器本体２の内部で、生体排液が液体状で残留することを有効に防止することができ、また、患者の、排尿後の健康状態の評価等の際に、たとえば、図１に例示するように、容器本体２の外側面に、内部流路８に沿って設けた目盛り９を目視すること等によって、容器本体２の内部に蓄えられた生体排液の量を正確に測定することができる。
なお、生体排液の貯留量を十分正確に測定するとの観点からは、内部流路８を区画する仕切部７の配設個数を増やすことが好ましいが、かかる仕切部７は二個以上設けることで、内部流路８の横断面積が小さくなるとともに、それの流路長さが十分に確保されて、生体排液の貯留量の正確な測定が可能になる。
【００２１】
ここで、図１に示す内部流路８は、たとえば、図の上下方向に隣接する仕切部７の相互間に区画されて、容器本体２の両側部Ｓ１，Ｓ２間に、容器本体２の幅方向（図１では左右方向）と平行に延びる複数本の流路部分８ａ、および、図の上下方向に隣接する流路部分８ａの相互を連通させるべく、前記両側部Ｓ１，Ｓ２のそれぞれで、容器本体２の底部Ｂ側から頂部Ｔ側に向けて折り返してなる複数個所の折り返し部分８ｂで構成している。
【００２２】
なお、図１に示すところでは、上記の各仕切部７を、容器本体２の幅方向の一端側もしくは他端側のいずれか一方側では、両可撓性シート５，６の側縁Ｅ１もしくはＥ２まで配置してシールする一方で、他方側では、両可撓性シート５，６の側縁Ｅ２もしくはＥ１に至る手前まで配置して、図の上下に隣接する前記流路部分８ａの相互を連通する折り返し部分８ｂを形成し、そして、このような折り返し部分８ｂを、図の上下方向に並列配置した仕切部７のそれぞれで、容器本体２の幅方向の一端側もしくは他端側の交互に形成している。それにより、図１に示す実施形態では、内部流路８が、仕切部７に並行するとともに前記一端側および前記他端側のそれぞれで一回以上折り返して延びるものとなる。
【００２３】
またここでは、容器本体２の、図の右上側の部分に形成した導入口３から流入する生体排液を、内部流路８の、容器本体２の底部Ｂに位置する入口部分８ｃまで案内するチューブ部材１０が、導入口３および前記入口部分８ｃのそれぞれに取り付けられて設けられている。このチューブ部材１０は、硬質ポリ塩化ビニル、ポリカーボネイトまたはＡＢＳ樹脂、ポリエチレン、ポリプロピレン、ポリブタジエン、エチレン−酢酸ビニル共重合体の様なポリオレフィン、オレフィン系エラストマー、スチレン系エラストマー等の各種熱可塑性エラストマー、あるいは、これらを任意に組合せたもの（ブレンド樹脂、ポリマーアロイ、積層体等）等で形成することができる。
あるいは、可塑性シート５、６とは別個の部材としてのチューブ部材１０を設けることに代えて、図示は省略するが、生体排液を、導入口３から入口部分８ｃまで案内するために、可塑性シート５、６の一部を、たとえば、図１に示すチューブ部材１０の配置位置で液密にシールすることも可能である。
【００２４】
このような構成を有する収納容器１では、導入口３から流入する生体排液は、チューブ部材１０により、内部流路８の、容器本体２の底部Ｂに配置した入口部分８ｃに送り込まれた後、容器本体２の幅方向に延びる仕切部７に並行する流路部分８ａおよび、容器本体２の一端側および他端側の各折り返し部分８ｂを通過しつつ、容器本体２の底部Ｂ側（図では下側）から頂部Ｔ側（図では上側）に向けて流動し、それに伴って、内部流路８に配置した排液吸収材４が、生体排液を吸収して、入口部分８ｃ側から順次に膨潤およびゲル化する。
【００２５】
なお図示は省略するが、上記のチューブ部材１０を設けない場合は、導入口３から流入する生体排液が、頂部Ｔ側から底部Ｂ側に向かって内部流路８を流動することになる。但し、この場合は、頂部Ｔ側の内部流路８に配置した排液吸収材４が十分にゲル化する前に、生体排液が、底部Ｂ側に向かって流動することがあるので、容器本体２内に蓄えられる生体排液をより正確に測定するためには、容器本体２の底部Ｂに貯留する生体排液を、内部流路８の、その底部Ｂ側の部分から蓄積させるべく、たとえば、チューブ部材１０を配置し、または、導入口３それ自体を、容器本体２の底部Ｂ側に形成すること等が好ましい。なお、チューブ部材１０は容器本体２を構成する可塑性シートで構成することも出来る。具体的には、最下面のみ容器本体内部と連通した3層構造とすることもできる。
【００２６】
ところで、上述した仕切部７には、内部流路８を区画するため、生体排液を浸透させない不透水性の材料を用いるものとし、この不透水性の材料としては、たとえば、容器本体２を構成する上記の可撓性シート５，６と同一の材料とすることができる。
この一方で、仕切部は、図３に示すように、容器本体２を構成する可撓性シート５，６のそれぞれの内側面５ａ，６ａの相互を、たとえば、熱融着もしくは接着剤等により液密に固着させることによっても形成することができ、このような仕切部７ａの形成によれば、可撓性シート５，６とは別個の部材としての仕切部７を設ける図２に示すものに比して部材点数を低減することができる。
【００２７】
ここにおいて、排液吸収材４には、粒体もしくは粉体状の吸水性高分子材料、より具体的には、例えば合成ポリマーとしては、ポリアクリル酸系樹脂、ポリエチレンオキシド系樹脂、無水マレイン酸系樹脂、ポリスルホン酸系樹脂、ポリアクリルアミド系樹脂、ポリビニルアルコール系樹脂などの材料やその組み合わせ、天然物由来ポリマーとしては、ポリアスパラギン酸系、ポリグルタミン酸系、ポリアルギン酸系、デンプン系、セルロース系、プルラン系、デキストラン系、デキストリン系、その他多糖類の架橋物および、その組み合わせを用いることができる。また、増粘多糖類を始めとする各種増粘材やモンモリロナイト等の粘土鉱物および、その組み合わせを用いることも可能である。
そしてまた、排液吸収材４には、上記の粒体もしくは粉体状の吸水性高分子材料を一体化したものを用いることもでき、この一体化したものとしては、粒体もしくは粉体を焼結してなる焼結体、粒体もしくは粉体に水を加えて、膨潤・ゲル化させたものを乾燥してなるシート状成形体、あるいは、粒体もしくは粉体を所定の有機溶媒に溶かした後に、これを乾燥してなるフィルム状成形体等が挙げられる。また、パルプ等の線維素材に対して、これら吸水性高分子を混合したシート状の材料を用いることも可能である。
【００２８】
なおここで、排液吸収材４として、上述した吸水性高分子材料を粒体もしくは粉体状のまま用いる場合は、内部流路８に沿って配置する排液吸収材４を、図示は省略するが、その内部流路８に沿って延びる透水性のラッピング部材で包み込むことが好ましい。これにより、たとえば、内部流路８の入口部分８ｃの近傍で、生体排液を吸収した排液吸収材４の、ゲル化に伴う体積膨張を、それを包み込む前記ラッピング部材で抑制して、内部流路８に、その後に続けて流入する液体状の生体排液がそこを越えて通過するための通り道を確保することができる。生体排液が浸透可能な透水性のものとするこのラッピング部材には、たとえば、吸水性高分子材料の粒径より小さな目開きを有するメッシュシートであって、ポリエチレン、ポリプロピレン、ポリブタジエン、ポリスチレン、エチレン−酢酸ビニル共重合体の様なポリオレフィン、オレフィン系エラストマー、スチレン系エラストマー等の各種熱可塑性エラストマー、ポリウレタンあるいは、これらを任意に組合せたもの（ブレンド樹脂、ポリマーアロイ、積層体等）からなるメッシュシート、または、不織布もしくは織布その他の布材等を用いることができる。そして、使用する樹脂材料は、高圧蒸気滅菌（オートクレーブ滅菌）に耐えられる耐熱性、耐水性あるいは、γ線滅菌、EB滅菌に耐えられる性質を有していることが好ましい。
あるいは、上記のラッピング部材の配設に代えて、可撓性シート５，６に、これもまた図示は省略するが、生体排液を吸収して体積膨張した排液吸収材によっても閉塞されない細溝を、内部流路８に沿って形成することもできる。
【００２９】
一方、排液吸収材４として、粒径が１００μｍ〜４ｍｍの吸水性高分子材料を粒体もしくは粉体状のまま用いる場合は、生体排液を吸収してゲル化した後、その吸水性高分子材料を構成する粒子同士の隙間で構成される網目構造に、液体状の生体排液が通過できる隙間が存在することから、上述したようなラッピング部材等を用いることなしに、排液吸収材４がゲル化した後も、内部流路８を生体排液が通過することができる。
【００３０】
以上に述べたところでは、内部流路８の区画に寄与する複数個の仕切部７がともに、容器本体２の幅方向と平行に延びるものとしたが、該仕切部は、容器本体２の幅方向に対して傾斜して延びるものとしても良く、さらには、図４に例示するように、仕切部１７を、容器本体２の高さ方向（図では上下方向）と平行に延びる姿勢で配置することができる。
【００３１】
この場合は、図４に示すように、内部流路１８の流路部分１８ａが、容器本体２の高さ方向に並行するとともに、折り返し部分１８ｂが、容器本体２の図の上端側もしくは下端側に、並列配置した複数個の仕切部１７のそれぞれで交互に形成されるように、かかる仕切部１７を配置することができる。なお、このような内部流路１８に沿って排液吸収材４を配置するため、たとえば、内部に粒体もしくは粉体状の吸水性高分子材料を包み込んだ上記のラッピング部材、または、上述したような、粒体もしくは粉体状の吸水性高分子材料を焼結等により一体化してなるものを、内部流路１８を区画する仕切部１７もしくは可撓性シート５，６に、接着剤等により固定ないしは固着させることができる。
【００３２】
なおここで、上述したいずれの収納容器１においても、正面視で直線状に延びる複数個の仕切部７，７ａ，１７を、互いに平行に並列配置しているが、複数個の仕切部は、必ずしも平行に並列配置されていなくても良く、また、仕切部は、少なくとも一部で湾曲ないし屈曲して延びるものであっても良い。
そしてまた、図１，４に示す収納容器１では、二次元方向（図の上下および左右方向）に延びる仕切部７，７ａ，１７により、内部通路１，１８が、図示の平面内の二次元方向のみに形成されているが、たとえば、容器本体の底部で、仕切部を、容器本体の厚み方向（図では紙面の表裏方向）に延びるものとして、内部通路が、三次元方向（図の紙面の表裏方向）に形成されても良い。
【００３３】
図５に示す他の実施形態は、容器本体２２の内部に、複数箇所で屈曲して延びる仕切部２７を設けて、その仕切部２７により、図示の正面視で、容器本体２２の中心部側からその周縁部側に向かって接近しつつ、容器本体２２の四隅のそれぞれに対応する各位置で屈曲して延びる内部流路２８を区画形成し、排液吸収材２４を、その内部流路２８に沿って、たとえば、上述したように仕切部２７に固定ないしは固着させて配置してなるものである。
【００３４】
このような収納容器２１によっても、内部流路２８の横断面積が小さく、しかもそれの流路長さが長くなり、そして、たとえば、容器本体２２の、図では上側中央部分に形成した導入口２３からチューブ部材２０を経て、容器本体２２の中心部に流入した生体排液が、上記の内部流路２８により、容器本体２２の中心部の周りを周回しつつ周縁部側に向けて流動することになり、それに伴い、内部流路２８に沿って配置した排液吸収材２４のゲル化が、容器本体２２の中心部側から順次に生じるので、排液吸収材２４を均一にゲル化することができる。
その結果として、容器本体２２の内部に、生体排液が液体状で残留することを有効に防止することができ、また、容器本体２２の内部に貯留した生体排液の量を、ここでは図示しない目盛りを目視することで正確に測定することができる。なお、図５に示すこの実施形態では、前記目盛りを、容器本体２２の中心部側から周縁部側に向けて延びる内部流路２８に沿って設けることができる。
【００３５】
なおここで、図示は省略するが、たとえば、導入口およびチューブ部材のそれぞれを、容器本体の周縁部側に設けること等により、内部流路を、容器本体の周縁部側から中心部側に向かって接近して延びるものとし、導入口から流入する生体排液を、内部流路の、周縁部側の部分から中心部側の部分に向けて流動させるものとすることもできる。
【００３６】
また、図５に示すところでは、内部流路２８が、複数箇所で屈曲して延びるものとしたが、内部流路は、図示は省略するが、たとえば、収納容器の正面視で、一周以上旋回して延びる仕切部によって区画形成されて、容器本体２８の中心部もしくは周縁部のいずれか一方側から他方側に向かって接近しつつ湾曲して延びる渦巻き状のものとすることもできる。
【００３７】
なお、上述したいずれの収納容器にあっても、容器本体の外側面への目盛りの配設および、それによる生体排液の量の測定を容易なものとするとの観点からは、内部流路の横断面積を、内部流路の全長にわたって、たとえば０．３ｃｍ２〜１５ｃｍ２程度で一定とすることが好ましい。これはすなわち、内部流路の横断面積が、生体排液の流動方向に沿って変化する場合は、内部流路で排液吸収材によって吸収される生体排液の量を測定するための目盛りの間隔を、その横断面積が変化する各位置で変える必要があり、それにより、目盛りの配設が困難となり、併せて、その目盛りを目視することによる生体排液の量の測定もまた困難となることによる。
なお、生体排液を吸収して内部流路内で膨潤する排液吸収材の体積を考慮すれば、内部流路に沿って配置する排液吸収材の密度は、たとえば、内部流路の前記横断面積の１／４０〜１／５程度とすることができる。
【符号の説明】
【００３８】
１，２１  生体排液の収納容器
２，２２  容器本体
３，２３  導入口
４，２４  排液吸収材
５，６，２５，２６  可撓性シート
７，７ａ，１７，２７  仕切部
８，１８，２８  内部流路
８ａ  流路部分
８ｂ  折り返し部分
８ｃ  入口部分
９  目盛り
１０，２０  チューブ部材
Ｓ１，Ｓ２  容器本体の側部
Ｂ  容器本体の底部
Ｔ  容器本体の頂部
Ｅ１，Ｅ２  容器本体の側縁
【図１】
2013169415.tif 000003
【図２】
2013169415.tif 000004
【図３】
2013169415.tif 000005
【図４】
2013169415.tif 000006
【図５】
2013169415.tif 000007